(57)【要約】【課題】相手端子接続部と、電線接続部との間で屈曲された端子をコネクタハウジング内に挿入する際に、端子が変形されることを防ぎ、しかも、組み付け作業性を向上することができるコネクタを提供すること。【解決手段】相手端子に接続される相手端子接続部１１と、電線１１０の端末部に接続される電線接続部１２との間で屈曲された屈曲部分１５に被係止部１６が設けられた端子１０と、端子１０が収容されるコネクタハウジング２０に組み付けられるコネクタハウジング２０とは別部材のカバーであり、被係止部１６を係止する係止部６４と、押圧用壁６２と、を含み、押圧用壁６２が押圧操作されてコネクタハウジング２０に組み付けられることによってコネクタハウジング２０の相手端子接続部１１の挿入口周辺部分を押圧用壁６２を含めた壁によって塞ぎつつ、端子１０が被係止部１６を係止部６４に係止された状態でコネクタハウジング２０内に挿入されるカバー６０と、を有する。【選択図】図１
2019023960.tif 000002
【特許請求の範囲】
【請求項１】
相手端子に接続される相手端子接続部と、電線の端末部に接続される電線接続部との間で屈曲された屈曲部分に被係止部が設けられた端子と、
前記端子が収容されるコネクタハウジングに組み付けられる前記コネクタハウジングとは別部材のカバーであり、前記被係止部を係止する係止部と、前記コネクタハウジングに組み付ける場合に押圧操作される壁である押圧用壁と、を含み、前記押圧用壁が押圧操作されて前記コネクタハウジングに組み付けられることによって前記コネクタハウジングの前記相手端子接続部の挿入口周辺部分を前記押圧用壁を含めた壁によって塞ぎつつ、前記端子が前記被係止部を前記係止部に係止された状態で前記コネクタハウジング内に挿入されるカバーと、
を有することを特徴とするコネクタ。
【請求項２】
前記押圧用壁は、
前記押圧用壁側に向いた前記端子の面を覆うように設けられる
ことを特徴とする請求項１に記載のコネクタ。
【請求項３】
前記屈曲部分は、
板状部分であり、
前記被係止部は、
前記屈曲部分に貫通形成された係止孔であり、
前記係止部は、
前記係止孔を係止する係止突起である
ことを特徴とする請求項１または２に記載のコネクタ。
【発明の詳細な説明】
【技術分野】
【０００１】
本発明は、屈曲部分を有する端子を収容するコネクタハウジングと、コネクタハウジンに組み付けられるカバーと、を有するコネクタに関する。
【背景技術】
【０００２】
従来、電線の端末部に取り付けられた端子が相手端子に接続される相手端子接続部と、電線の端末部に接続される電線接続部との間で屈曲されている場合、コネクタは、コネクタハウジングの相手端子接続部の挿入口周辺部分をカバーによって覆う構成が適用される（例えば、特許文献１および特許文献２参照）。
【先行技術文献】
【特許文献】
【０００３】
【特許文献１】特開２０１０−７３４４１号公報
【特許文献２】特開２０１２−８４２５２号公報
【発明の概要】
【発明が解決しようとする課題】
【０００４】
しかしながら、上述した従来のコネクタは、相手端子接続部と、電線接続部との間で屈曲されているような端子をコネクタハウジング内に挿入する場合、端子の屈曲部分から電線接続部の押圧し難い形状あるいはサイズである部分を押圧する必要があり、組み付け作業性が悪く、しかも、端子が変形され易い部分に押圧力が負荷されるため端子を変形させてしまうおそれがあった。
【０００５】
このような端子をコネクタハウジングに挿入する際の作業性および端子の変形の問題を解消するために、端子を押圧するための専用の治具を用いることも考えられるが、治具を扱う手間が増え、結果的に、組み付け作業性が悪くなってしまう問題がある。
【０００６】
本発明は、上記に鑑みてなされたものであって、相手端子接続部と、電線接続部との間で屈曲された端子をコネクタハウジング内に挿入する際に、端子が変形されることを防ぎ、しかも、組み付け作業性を向上することができるコネクタを提供することを目的とする。
【課題を解決するための手段】
【０００７】
上述した課題を解決し、目的を達成するために、本発明に係るコネクタは、相手端子に接続される相手端子接続部と、電線の端末部に接続される電線接続部との間で屈曲された屈曲部分に被係止部が設けられた端子と、前記端子が収容されるコネクタハウジングに組み付けられる前記コネクタハウジングとは別部材のカバーであり、前記被係止部を係止する係止部と、前記コネクタハウジングに組み付ける場合に押圧操作される壁である押圧用壁と、を含み、前記押圧用壁が押圧操作されて前記コネクタハウジングに組み付けられることによって前記コネクタハウジングの前記相手端子接続部の挿入口周辺部分を前記押圧用壁を含めた壁によって塞ぎつつ、前記端子が前記被係止部を前記係止部に係止された状態で前記コネクタハウジング内に挿入されるカバーと、を有することを特徴とする。
【０００８】
また、本発明に係るコネクタは、上記の発明において、前記押圧用壁が、前記押圧用壁側に向いた前記端子の面を覆うように設けられることを特徴とする。
【０００９】
また、本発明に係るコネクタは、上記の発明において、前記屈曲部分が、板状部分であり、前記被係止部が、前記屈曲部分に貫通形成された係止孔であり、前記係止部が、前記係止孔を係止する係止突起であることを特徴とする。
【発明の効果】
【００１０】
本発明に係るコネクタは、前記押圧用壁が押圧操作されて前記カバーが前記コネクタハウジングに組み付けられることによって前記コネクタハウジングの前記相手端子接続部の挿入口周辺部分を前記押圧用壁を含めた壁によって塞ぎつつ、前記端子が前記被係止部を前記係止部に係止された状態で前記コネクタハウジング内に挿入されるので、治具を用いることなく前記カバーを構成する壁の一部である前記押圧用壁を押圧することによって、端子の屈曲部分から電線接続部の押圧し難い形状あるいはサイズである部分を押圧することなく、かつ、前記端子に直接的に押圧力を負荷させることなく前記端子を前記コネクタハウジング内に挿入することができるので、相手端子接続部と、電線接続部との間で屈曲された端子をコネクタハウジング内に挿入する際に、端子が変形されることを防ぎ、しかも、組み付け作業性を向上することができる。
【図面の簡単な説明】
【００１１】
【図１】図１は、本発明の実施例に係るコネクタの分解斜視図である。
【図２】図２は、本発明の実施例に係るコネクタの斜視図である。
【図３】図３は、（ａ）が端子付き電線の斜視図であり、（ｂ）が端子付き電線の上面図である。
【図４】図４は、コネクタハウジングの斜視図である。
【図５】図５は、カバーの斜視図である。
【図６】図６は、（ａ）が端子およびカバーを互いの係止孔と係止突起とを係止開始可能な位置に対向配置した状態を示し、（ｂ）が端子の係止孔をカバーの係止突起に係止することによって、端子をカバーに固定した状態を示した図である。
【図７】図７は、（ａ）がカバーをコネクタハウジングに組み付けつつ端子がコネクタハウジング内に挿入される様子を示した図であり、（ｂ）がカバーがコネクタハウジングに組み付け完了された状態を示した図である。
【発明を実施するための形態】
【００１２】
以下、図面を参照して、本発明に係るコネクタの好適な実施例を詳細に説明する。
【実施例】
【００１３】
図１は、本発明の実施例に係るコネクタ１の分解斜視図である。なお、図１は、端子１０がカバー６０に係止された状態になっている。図２は、本発明の実施例に係るコネクタ１の斜視図である。図３は、（ａ）が端子付き電線１００の斜視図であり、（ｂ）が端子付き電線１００の上面図である。図４は、コネクタハウジング２０の斜視図である。図５は、カバー６０の斜視図である。
本発明の実施例に係るコネクタ１は、端子１０と、端子１０が収容されるコネクタハウジング２０と、コネクタハウジング２０に組み付けられるコネクタハウジング２０とは別部材のカバー６０と、を有する。
【００１４】
まず、端子１０について説明する。
端子１０は、図３に示すように、不図示の相手端子に接続される相手端子接続部１１と、電線１１０の端末部に接続される電線接続部１２と、相手端子接続部１１と電線接続部１２との間を連結する連結部１５と、を有する。
【００１５】
相手端子接続部１１は、箱型をなし、内部に設けられた不図示の弾性接触片によって相手端子に接続されるようになっている。
【００１６】
電線接続部１２は、電線１１０の導体部である芯線１１１に圧着される芯線圧着部１３と、芯線１１１の外周を包囲する絶縁被覆１１２に圧着される被覆圧着部１４と、を有する。
この電線接続部１２は、芯線圧着部１３および被覆圧着部１４の底壁１３ａ、１４ａが連続して形成されており、一対の加締片１３ｂ、１３ｂ、１４ｂ、１４ｂが芯線圧着部１３および被覆圧着部１４それぞれの底壁１３ａ、１４ａ部分の両端縁に設けられている。
【００１７】
連結部１５は、相手端子接続部１１の底壁１１ａと、電線接続部１２の底壁１３ａ、１４ａとが連続するように連結する板状部分であり、相手端子接続部１１と電線接続部１２との間が略直角に屈曲されるように連結している。
このため端子１０は、連結部１５を屈曲部分として全体としてＬ字形状に屈曲されている。
【００１８】
また、連結部１５は、カバー６０の後述する係止部６４によって係止される被係止部１６が設けられている。
被係止部１６は、屈曲部分である連結部１５に貫通形成された係止孔（以下、「被係止部」を「係止孔」という。）であり、孔形状が外形矩形状をなしている。
【００１９】
次に、コネクタハウジング２０について説明する。
コネクタハウジング２０は、絶縁性の樹脂材からなり、端子１０の相手端子接続部１１および連結部１５の一部が収容される第一端子収容部３０と、第一端子収容部３０外の連結部１５の一部および電線接続部１２をコネクタハウジング２０に組み付けられたカバー６０と合わせて囲う部分となる第二端子収容部４０と、を有する。
【００２０】
第一端子収容部３０は、角筒状をなし、筒内に相手端子接続部１１を係止する不図示の係止部が設けられている。
より具体的には、第一端子収容部３０は、角筒形状をなし、底壁３１と、第一上壁３２と、一対の第一側壁３３、３３と、を有する。
【００２１】
第二端子収容部４０は、第一端子収容部３０によって形成された端子１０の収容空間をカバーと合わせて直角に屈曲された方向に連続させる壁を有する。
より具体的には、第二端子収容部４０は、第一端子収容部３０の第一上壁３２を相手端子接続部１１の挿入口から端子１０の挿入方向Ｄに沿って外方に拡大させつつ第一端子収容部３０の一方の第一側壁３３側から直交方向に拡大させた第二上壁４１と、第一端子収容部３０の第一側壁３３を第二上壁４１の拡大部分まで連続するように形成された第二側壁４２と、第二上壁４１の第一端子収容部３０の一方の第一側壁３３側から直交方向に拡大させた部分の前端縁に立設された前壁４３と、を有する。
【００２２】
このようなコネクタハウジング２０は、上面から視た場合、第一上壁３２と第二上壁４１によってＬ字状の壁が形成されている。
また、コネクタハウジング２０は、端子１０の挿入方向側から視た場合、第二上壁４１と第二側壁４２とが面一な端縁面を形成している。
【００２３】
また、コネクタハウジング２０は、第一上壁３２および第二上壁４１の一部に渡ってコネクタ１に接続される不図示の相手コネクタとの嵌合状態をロックするロックアーム５０が設けられている。
【００２４】
また、コネクタハウジング２０は、第二上壁４１にカバー６０の後述する２つのカバー係止部６３がそれぞれ係止される２つの係止突起５１、５１が設けられている。
２つの係止突起５１、５１は、第二上壁４１の端子１０の挿入方向側入口側となる端部に沿って並んで設けられている。
各係止突起５１は、挿入方向側入口側に向けて下り傾斜となり、カバー係止部６３を漸次弾性変形させながら係止位置に誘導するためのガイド傾斜面５１ａが形成されている。
【００２５】
次に、カバー６０について説明する。
カバー６０は、絶縁性の樹脂材からなる断面Ｌ字状をなし、コネクタハウジング２０の第一端子収容部３０から略直角方向に屈曲されて連続される端子１０の収容空間を形成するように第二端子収容部４０に組み付けられる。
【００２６】
このカバー６０は、コネクタハウジング２０に組み付けられた状態で、第二上壁４１に向かい合うカバー底壁６１と、前壁４３に向かい合うようにカバー底壁６１の端部縁面に立設されたカバー起立壁６２と、コネクタハウジング２０の２つの係止突起５１、５１にそれぞれ係止されるようにカバー起立壁６２の上端面に設けられた２つのカバー係止部６３、６３と、カバー底壁６１に設けられ、端子１０の係止孔１６を係止する係止部６４と、を有する。
【００２７】
カバー底壁６１は、コネクタハウジング２０への組み付け方向前端側となる端縁面６１ａに第一端子収容部３０の底壁３１の端縁面に形成された不図示の２つの突起のそれぞれが嵌め込まれる２つの溝部６１ｂ、６１ｂと、底壁３１の端縁面に形成された不図示の溝に嵌め込まれる突片部６１ｃと、が設けられている。
【００２８】
カバー起立壁６２は、上端部が内側に直角に屈曲され、コネクタハウジング２０の第二上壁４１の内側に重ねる部分となる上端屈曲部６２ａを有する。
このカバー起立壁６２は、カバー６０をコネクタハウジング２０に組み付ける場合に押圧操作される壁である押圧用壁として機能される（以下、「カバー起立壁」を「押圧用壁」という。）。
【００２９】
押圧用壁６２は、押圧用壁６２側に向いた端子１０の面を覆うように設けられる。
すなわち、押圧用壁６２は、仮に端子１０を直に押圧してコネクタハウジング２０に挿入する場合に押圧される部分を覆うようになっている。
この押圧用壁６２は、端子１０の挿入方向Ｄに対して直角に屈曲された端子１０の部分を覆うように端子１０の押圧部分となる面よりも広い面積を有し、かつ、平らな外面が作業者によって押圧操作される押圧面６２ｂになっている。
なお、押圧面６２ｂは、端子１０の挿入方向Ｄが法線方向になっている。
このため、作業者は、端子１０の押圧部分となる面よりも広い面積、かつ、平らな押圧面６２ｂを真直ぐに押すことによってカバー６０をコネクタハウジング２０に組み付けることができる。
【００３０】
２つのカバー係止部６３、６３は、押圧用壁６２の上端屈曲部６２ａの上端面に立設された支持壁部６３ａと、支持壁部６３ａの上部に両端部が連結されるように水平方向に突出されたＵ字状の係止片部６３ｂと、を有する。
【００３１】
係止部６４は、カバー底壁６１の内面に突設された係止突起であり（以下、「係止部」を「係止突起」という。）、係止孔１６との係止完了状態で係止孔１６の孔内に挿通される部分となる柱状部６５と、柱状部６５の上部から端子１０が離脱されることを阻止するストッパ頭部６６と、を有する。
【００３２】
柱状部６５は、係止孔１６の孔形状に対応して係止孔１６への挿入方向Ｄに直交する方向の断面が矩形状をなし、断面寸法が係止孔１６の孔寸法と略同じ、あるいは、僅かに小さくなるように寸法が設定されている。
この柱状部６５は、表裏の関係にある一対の面６５ａが端子１０の挿入方向Ｄに法線を向けて配置されている。
このため柱状部６５は、端子１０の挿入方向Ｄに法線を向けた一対の面６５ａが端子１０の挿入方向Ｄでの端子１０の位置決め機能をなし、端子１０の挿入方向Ｄに直交する方向に法線を向けた一対の面６５ｂが挿入方向Ｄに直交する方向での端子１０の位置決め機能をなしている。
【００３３】
ストッパ頭部６６は、係止突起６４の上端部を構成し、係止孔１６への挿入方向Ｄに直交する方向の断面が柱状部６５に比して寸法が大きく設定された矩形状をなしている。
このストッパ頭部６６は、柱状部６５に対して外周面が係止孔１６への挿入方向Ｄに直交する方向にフランジ状に突出されるようになっている。
また、ストッパ頭部６６は、係止孔１６への挿入方向Ｄに直交する方向の断面が下端面から上端面に向けて減少されるように端部外周面に沿って傾斜面６６ａが形成されている。
【００３４】
このようなストッパ頭部６６は、係止孔１６を通して連結部１５を貫通される場合、傾斜面６６ａの周辺が弾性変形されることによって係止孔１６内を通過され、係止孔１６内から外部に導出された後に、係止孔１６よりも大きい寸法に弾性的に復元されることによって端子１０が係止突起６４の上部で突き当たる壁を形成するようになっている。
【００３５】
次に、図６および図７を用いて端子１０をコネクタハウジング２０内に挿入するとともに、カバー６０をコネクタハウジング２０に組み付ける手順について説明する。
図６は、（ａ）が端子１０およびカバー６０を互いの係止孔１６と係止突起６４とを係止開始可能な位置に対向配置した状態を示し、（ｂ）が端子１０の係止孔１６をカバー６０の係止突起６４に係止することによって、端子１０をカバー６０に固定した状態を示した図である。図７は、（ａ）がカバー６０をコネクタハウジング２０に組み付けつつ端子がコネクタハウジング２０内に挿入される様子を示した図であり、（ｂ）がカバー６０がコネクタハウジング２０に組み付け完了された状態を示した図である。
【００３６】
まず、作業者は、端子１０およびカバー６０を互いの係止孔１６と係止突起６４とを係止可能な位置に対向配置しつつ、係止孔１６に係止突起６４を挿通するように端子１０とカバー６０とを近づける（図６（ａ）参照）。
ここで、係止孔１６および係止突起６４は断面が互いに対応する矩形状をなしているので、カバー６０に対して組み付ける端子１０の向きを確認し易いようになっている。
【００３７】
より具体的には、係止突起６４の柱状部６５が表裏の関係にある一対の面６５ａを端子１０の挿入方向Ｄに向けて配置されているので、カバー６０に対して組み付ける端子１０の向きをこの一対の面６５ａを基準にすることによって容易に定めることができる。
【００３８】
このようにしてカバー６０に対して組み付ける端子１０の向きを確認した作業者は、係止孔１６を係止突起６４に係止することによって、端子１０をカバー６０に固定する（図６（ｂ）参照）。
【００３９】
次に、作業者は、カバー６０をコネクタハウジング２０に組み付ける（図７（ａ）参照）。
この作業では、カバー６０がコネクタハウジング２０に対してコネクタハウジング２０内への端子１０の挿入方向Ｄと同じ方向に移動して組み付けられる。
ここで作業者は、押圧用壁６２を押圧することによってカバー６０をコネクタハウジング２０に組み付ける。
このため、作業者は、押圧用壁６２の平らな押圧面６２ｂを押圧することによって、端子１０を作業性良くコネクタハウジング２０内に挿入することができる。
また、端子１０をコネクタハウジング２０内に挿入するための押圧力が、押圧用壁６２に負荷され、端子１０に対して直接的に負荷されないため、端子１０の変形を防ぐことができる。
【００４０】
最後に、作業者は、カバー６０の２つのカバー係止部６３、６３と、コネクタハウジング２０の２つの係止突起５１、５１とを係合させることによって、カバー６０をコネクタハウジング２０に組み付ける作業を完了する。
このようにカバー６０がコネクタハウジング２０に組み付け完了されると、相手端子接続部１１と電線接続部１２との間の連結部１５で屈曲された端子１０の相手端子接続部１１から電線接続部１２までコネクタハウジング２０およびカバー６０によって形成された端子収容空間内に収容される。
【００４１】
本発明の実施例に係るコネクタ１は、押圧用壁６２が押圧操作されてカバー６０がコネクタハウジング２０に組み付けられることによって、コネクタハウジング２０の相手端子接続部１１の挿入口周辺部分を押圧用壁６２を含めた壁によって塞ぎつつ、端子１０が被係止部１６を係止部６４に係止された状態でコネクタハウジング２０内に挿入されるので、治具を用いることなくカバー６０を構成する壁の一部である押圧用壁６２を押圧することによって、端子１０の屈曲部分１５から電線接続部１２の押圧し難い形状あるいはサイズである部分を押圧することなく、かつ、端子１０に直接的に押圧力を負荷させることなく端子１０をコネクタハウジング２０内に挿入することができるので、相手端子接続部１１と、電線接続部１２との間で屈曲された端子１０をコネクタハウジング２０内に挿入する際に、端子１０が変形されることを防ぎ、しかも、組み付け作業性を向上することができる。
【００４２】
また、本発明の実施例に係るコネクタ１は、押圧用壁６２が押圧用壁６２側に向いた端子１０の面を覆うように設けられるので、端子１０をコネクタハウジング２０に挿入する際、端子１０に確実に触れることなく押圧用壁６２を押圧することができる。
【００４３】
また、本発明の実施例に係るコネクタ１は、板状の屈曲部分１５に貫通形成された係止孔１６を被係止部とし、係止孔１６を係止する係止突起６４を係止部とすることができるので、簡易な構成で端子１０をカバー６０に係止することがでる。
【００４４】
なお、本発明の実施例に係るコネクタ１は、端子１０の被係止部が係止孔であり、カバー６０の係止部が係止突起であるものを例示したが、被係止部と係止部はこれらに限らず、端子１０がカバー６０に係止されるようになっていればその他の係止構造であっても構わない。
【００４５】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４６】
１              コネクタ
１０            端子
１１            相手端子接続部
１１ａ          底壁
１２            電線接続部
１３            芯線圧着部
１４            被覆圧着部
１３ａ、１４ａ  底壁
１３ｂ、１４ｂ  加締片
１５            連結部（屈曲部分）
１６            被係止部（係止孔）
２０            コネクタハウジング
３０            第一端子収容部
３１            底壁
３２            第一上壁
３３            第一側壁
４０            第二端子収容部
４１            第二上壁
４２            第二側壁
４３            前壁
５０            ロックアーム
５１            係止突起
５１ａ          ガイド傾斜面
６０            カバー
６１            カバー底壁
６１ａ          端縁面
６１ｂ          溝部
６１ｃ          突片部
６２            カバー起立壁（押圧用壁）
６２ａ          上端屈曲部
６２ｂ          押圧面
６３            カバー係止部
６３ａ          支持壁部
６３ｂ          係止片部
６４            係止部（係止突起）
６５            柱状部
６５ａ、６５ｂ  面
６６            ストッパ頭部
６６ａ          傾斜面
１００          端子付き電線
１１０          電線
１１１          芯線
１１２          絶縁被覆
【図１】
2019023960.tif 000003
【図２】
2019023960.tif 000004
【図３】
2019023960.tif 000005
【図４】
2019023960.tif 000006
【図５】
2019023960.tif 000007
【図６】
2019023960.tif 000008
【図７】
2019023960.tif 000009